(57)【要約】【課題】簡単な操作で、適切な印刷指定情報の設定を行うこと。【解決手段】被写体像を撮像して画像を生成する撮像手段と、撮像手段により生成された画像に撮像が行われた日付を書き込むか否かを選択する選択手段と、選択手段により日付の書き込みが選択されると、日付の書き込みを行う書込手段と、画像に関して、印刷指定情報を作成する作成手段と、作成手段により印刷指定情報を作成する際に、作成対象の画像に、書込手段により日付が書き込まれているか否かを判定する判定手段と、判定手段により日付が書き込まれていると判定されると、印刷指定情報に撮像が行われた日付が含まれる場合には、印刷指定情報から日付を削除する変更手段と、画像と印刷指定情報とを対応づけて記録する記録手段とを備える。【選択図】      図２
2004266359.tif 000002
【特許請求の範囲】
【請求項１】
被写体像を撮像して画像を生成する撮像手段と、
前記撮像手段により生成された前記画像に前記撮像が行われた日付を書き込むか否かを選択する選択手段と、
前記選択手段により前記日付の書き込みが選択されると、前記日付の書き込みを行う書込手段と、
前記画像に関して、印刷指定情報を作成する作成手段と、
前記作成手段により前記印刷指定情報を作成する際に、作成対象の前記画像に、前記書込手段により前記日付が書き込まれているか否かを判定する判定手段と、
前記判定手段により前記日付が書き込まれていると判定されると、前記印刷指定情報に前記撮像が行われた日付が含まれる場合には、前記印刷指定情報から前記日付を削除する変更手段と、
前記画像と前記印刷指定情報とを対応づけて記録する記録手段と
を備えたことを特徴とする電子カメラ。
【請求項２】
請求項１に記載の電子カメラにおいて、
前記撮像手段により生成された複数の画像について、前記作成手段が同時に前記印刷指定情報を作成する場合に、前記判定手段は、前記複数の画像のそれぞれについて、前記判定を行い、
前記変更手段は、前記複数の画像のうち、前記判定手段により前記日付が書き込まれていると判定された画像について、前記画像の前記印刷指定情報に前記撮像が行われた日付が含まれる場合には、前記印刷指定情報から前記日付を削除する
ことを特徴とする電子カメラ。
【請求項３】
被写体像を撮像して画像を生成する撮像手段と、
前記撮像手段により生成された前記画像に前記撮像が行われた日付を書き込むか否かを選択する選択手段と、
前記選択手段により前記日付の書き込みが選択されると、前記日付の書き込みを行う書込手段と、
前記画像に関して、印刷指定情報を作成する作成手段と、
前記作成手段により前記印刷指定情報を作成する際に、作成対象の前記画像に、前記書込手段により前記日付が書き込まれているか否かを判定する判定手段と、
前記判定手段により前記日付が書き込まれていないと判定されると、前記印刷指定情報と前記画像とを対応づけて記録し、前記判定手段により前記日付が書き込まれていると判定されると、前記印刷指定情報に前記撮像が行われた日付が含まれる場合には、前記撮像が行われた日付を除く前記印刷指定情報と前記画像とを対応づけて記録する記録手段と
を備えたことを特徴とする電子カメラ。
【請求項４】
請求項３に記載の電子カメラにおいて、
前記撮像手段により生成された複数の画像について、前記作成手段が同時に前記印刷指定情報を作成する場合に、前記判定手段は、前記複数の画像のそれぞれについて、前記判定を行い、
前記記録手段は、前記複数の画像のうち、前記判定手段により前記日付が書き込まれていると判定された画像について、前記画像の前記印刷指定情報に前記撮像が行われた日付が含まれる場合には、前記撮像が行われた日付を除く前記印刷指定情報と前記画像とを対応づけて記録する
ことを特徴とする電子カメラ。
【請求項５】
請求項１または請求項２に記載の電子カメラにおいて、
撮像時の構図確認用画像と、撮像結果確認用画像と、一覧表示用のサムネイル画像との少なくとも一つを生成する生成手段をさらに備え、
前記書込手段は、前記生成手段により生成された前記構図確認用画像と、前記撮像結果確認用画像と、前記サムネイル画像との少なくとも一つに前記日付の書き込みを行う
ことを特徴とする電子カメラ。
【発明の詳細な説明】
【０００１】
【発明の属する技術分野】
本発明は、被写体像を撮像して画像を生成する電子カメラに関する。
【０００２】
【従来の技術】
従来より、電子カメラには、撮像により生成された画像に撮影が行われた日時などを書き込み可能なものがある（例えば、特許文献１参照）。また、電子カメラには、撮像により生成された画像ごとにタグ情報を作成して、画像とともに記録するものがある。このようなタグ情報には、撮影条件の他に、印刷指定情報（例えば、印刷時に撮影が行われた日時を画像とともに印刷する指定や、印刷枚数の指定など）などが含まれる。
【０００３】
【特許文献１】
特許第３０３７１４０号公報
【０００４】
【発明が解決しようとする課題】
しかし、前述した従来の電子カメラでは、例えば、撮像により生成された画像に撮影が行われた日時が書き込まれていて、かつ、タグ情報の印刷指定情報にも撮影が行われた日時の印刷が指定されている場合、日付が２ヶ所に（または、重なって）印刷されてしまうなどの不都合が起こる場合があった。
【０００５】
本発明は、上記した問題に鑑みてなされたものであり、簡単な操作で、適切な印刷指定情報の設定を行うことができる電子カメラを提供することを目的とする。
【０００６】
【課題を解決するための手段】
請求項１に記載の電子カメラは、被写体像を撮像して画像を生成する撮像手段と、前記撮像手段により生成された前記画像に前記撮像が行われた日付を書き込むか否かを選択する選択手段と、前記選択手段により前記日付の書き込みが選択されると、前記日付の書き込みを行う書込手段と、前記画像に関して、印刷指定情報を作成する作成手段と、前記作成手段により前記印刷指定情報を作成する際に、作成対象の前記画像に、前記書込手段により前記日付が書き込まれているか否かを判定する判定手段と、前記判定手段により前記日付が書き込まれていると判定されると、前記印刷指定情報に前記撮像が行われた日付が含まれる場合には、前記印刷指定情報から前記日付を削除する変更手段と、前記画像と前記印刷指定情報とを対応づけて記録する記録手段とを備えたことを特徴とする。
【０００７】
請求項２に記載の電子カメラは、請求項１に記載の電子カメラにおいて、前記撮像手段により生成された複数の画像について、前記作成手段が同時に前記印刷指定情報を作成する場合に、前記判定手段は、前記複数の画像のそれぞれについて、前記判定を行い、前記変更手段は、前記複数の画像のうち、前記判定手段により前記日付が書き込まれていると判定された画像について、前記画像の前記印刷指定情報に前記撮像が行われた日付が含まれる場合には、前記印刷指定情報から前記日付を削除することを特徴とする。
【０００８】
請求項３に記載の電子カメラは、被写体像を撮像して画像を生成する撮像手段と、前記撮像手段により生成された前記画像に前記撮像が行われた日付を書き込むか否かを選択する選択手段と、前記選択手段により前記日付の書き込みが選択されると、前記日付の書き込みを行う書込手段と、前記画像に関して、印刷指定情報を作成する作成手段と、前記作成手段により前記印刷指定情報を作成する際に、作成対象の前記画像に、前記書込手段により前記日付が書き込まれているか否かを判定する判定手段と、前記判定手段により前記日付が書き込まれていないと判定されると、前記印刷指定情報と前記画像とを対応づけて記録し、前記判定手段により前記日付が書き込まれていると判定されると、前記印刷指定情報に前記撮像が行われた日付が含まれる場合には、前記撮像が行われた日付を除く前記印刷指定情報と前記画像とを対応づけて記録する記録手段とを備えたことを特徴とする。
【０００９】
請求項４に記載の電子カメラは、請求項３に記載の電子カメラにおいて、前記撮像手段により生成された複数の画像について、前記作成手段が同時に前記印刷指定情報を作成する場合に、前記判定手段は、前記複数の画像のそれぞれについて、前記判定を行い、前記記録手段は、前記複数の画像のうち、前記判定手段により前記日付が書き込まれていると判定された画像について、前記画像の前記印刷指定情報に前記撮像が行われた日付が含まれる場合には、前記撮像が行われた日付を除く前記印刷指定情報と前記画像とを対応づけて記録することを特徴とする。
【００１０】
請求項５に記載の電子カメラは、請求項１または請求項２に記載の電子カメラにおいて、撮像時の構図確認用画像と、撮像結果確認用画像と、一覧表示用のサムネイル画像との少なくとも一つを生成する生成手段をさらに備え、前記書込手段は、前記生成手段により生成された前記構図確認用画像と、前記撮像結果確認用画像と、前記サムネイル画像との少なくとも一つに前記日付の書き込みを行うことを特徴とする。
【００１１】
【発明の実施の形態】
以下、本発明の実施形態について詳細な説明を行う。
図１は、本発明の実施形態における電子カメラの構成を示すブロック図である。
電子カメラ１は、図１に示すように、撮像部１０、制御部１１、画像処理部１２、表示処理部１３、記録部１４を備えていると共に、不図示の外部機器（コンピュータ、プリンタなど）とのインタフェースをとる外部インタフェース部１５を備えており、これらはバスを介して相互に接続されている。
【００１２】
なお、撮像部１０は、不図示のレンズ、被写体の明るさや撮影距離などを測定する各種センサ、撮像素子、Ａ／Ｄ変換器などを備えている。
また、電子カメラ１は、不図示の電源ボタン、レリーズボタン、後述する印刷指定情報の設定操作にかかわる決定ボタンなどを含む操作部１６と、液晶モニタ１７とを備えている。図１において、操作部１６の出力は制御部１１に接続され、液晶モニタ１７には表示処理部１３の出力が接続される。
【００１３】
また、制御部１１には、電子カメラ１における処理を実現するためのプログラムが予め記録されており、電子カメラ１では、制御部１１によってこれらのプログラムを実行することにより被写体像の撮影や記録されている画像の再生などが行われる。
また、電子カメラ１は、外部インタフェース部１５を介して、外部のコンピュータやプリンタと接続可能である。
【００１４】
また、電子カメラ１は、ＤＰＯＦ（Ｄｉｇｉｔａｌ  Ｐｒｉｎｔ  Ｏｒｄｅｒ  Ｆｏｒｍａｔ）に対応している。ＤＰＯＦとは、電子カメラ用の記録フォーマットの１つで、電子カメラ１により生成された画像に関する印刷指定情報を画像とともに記録することができる。ＤＰＯＦの印刷指定情報により、日付および時刻などを画像とともに印刷する指定や、印刷枚数の指定などが可能である。また、画像とともに日付および時刻を印刷する位置を、画像の上下左右端のいずれかに指定可能である。
【００１５】
このような印刷指定情報の設定は、再生モード実行時に、ユーザにより、操作部１６を介して行われる。なお、日付および時刻などを画像とともに印刷する指定は、個別画像ごとに設定することも可能だが、本実施形態では、全ての画像に対して一括設定され、印刷枚数の指定は個別の画像ごとに設定される。
また、電子カメラ１では、上述した印刷指定情報の他に、画像自体に、撮影が行われた日時などを書き込み可能である。このような画像自体への日時などの書き込み指定は、操作部１６を介して、撮影前に設定される。
【００１６】
すなわち、電子カメラ１において、画像に日付を入れるには２つの方法があり、ユーザは、撮影前に設定を行う場合には、前述した画像自体へ日時の書き込みを設定し、撮影後に設定を行う場合には、前述したＤＰＯＦの印刷情報を設定することができる。
以上説明したような構成の電子カメラ１において、不図示の電源ボタンが「ＯＮ」されると、制御部１１はこれを検知し、各部にスルー画（請求項の「構図確認用画像」）の撮像および表示を開始するよう指示する。なお、制御部１１は、各部を介してスルー画を生成する際に、スルー画に日付を書き込む。日付の書き込みは、撮像部１０により撮像された画像に、画像処理部１２を介して日付の画像を重ね合わせることにより実現される。制御部１１は、このような日付の書き込みを、スルー画の更新のたびに行う。
【００１７】
そして、ユーザにより操作部１６を介して撮影モードの実行が指示され、操作部１６の不図示のレリーズボタンが押圧されると、制御部１１は、撮像部１０を介して被写体像の撮像を行い、画像処理部１２を介して所定の画像処理を施して、記録部１４に記録する。なお、制御部１１は、レリーズボタンが押圧されたときに液晶モニタ１７に表示されていた画像を、クイックビュー画像（請求項の「撮像結果確認用画像」）として記録部１４に記録するとともに、表示処理部１３を介して液晶モニタ１７に表示する。さらに、制御部１１は、画像処理部１２を介して、クイックビュー画像に所定の間引き処理を行いサムネイル画像を生成し、前述したクイックビュー画像とともに記録部１４に記録する。なお、制御部１１は、クイックビュー画像に、前述したスルー画と同様に日付を書き込み、さらに、サムネイル画像にも日付を書き込む。サムネイル画像については、日付部分の画像の劣化を避けるため、間引きを行った後に、重ね合わせによる日付の書き込みを行う。
【００１８】
一方、ユーザにより操作部１６を介して再生モードの実行が指示されると、制御部１１は、指示に従って記録部１４から画像を読み出し、表示処理部１３を介して液晶モニタ１７に読み出した画像を表示する。このとき、制御部１１は、一覧表示が指示されると、前述したサムネイル画像を読み出して表示し、１枚表示が指示されると、前述したクイックビュー画像を読み出して表示する。
【００１９】
なお、撮像部１０，制御部１１は、請求項の「撮像手段」に対応し、制御部１１，操作部１６は、請求項の「選択手段」に対応し、制御部１１，画像処理部１２は、請求項の「書込手段」に対応する。また、制御部１１は、請求項の「作成手段」、「判定手段」および「変更手段」に対応し、制御部１１，記録部１４は、請求項の「記録手段」に対応する。さらに、撮像部１０，制御部１１，画像処理部１２は、請求項の「生成手段」に対応する。
【００２０】
以下、本発明の特徴である、電子カメラ１における印刷情報設定時の制御部１１の動作について説明する。
ユーザにより操作部１６を介して、再生モードの実行が指示されると、ステップＳ１において、制御部１１は、ユーザにより操作部１６を介して、印刷指定情報の設定が指示されたか否かを判定する。制御部１１は、印刷指定情報の設定が指示された場合には、ステップＳ２に進み、印刷指定情報の設定が指示されない場合には、指示された内容の処理（例えば画像の削除など）を行う。
【００２１】
ステップＳ２において、制御部１１は、ユーザにより操作部１６を介して、設定対象の画像が選択されたか否かを判定する。ユーザは、印刷指定情報の設定対象の画像として、１つから全ての画像を設定することが可能である。制御部１１は、設定対象の画像が選択されるまでステップＳ２を繰り返し、設定対象の画像が選択されると、ステップＳ３に進む。
【００２２】
ステップＳ３において、制御部１１は、表示処理部１３を介して、液晶モニタ１７に所定の確認画面を表示する。図３に確認画面の例を示す。図３には、全ての画像が設定対象で、印刷枚数の指定はそれぞれ１枚で、日付を画像とともに印刷する指定（図３中「日付印刷」）が行われている場合の例を示す。
ステップＳ４において、制御部１１は、ユーザにより、操作部１６の不図示の決定ボタンが押圧されたか否かを判定する。制御部１１は、決定ボタンが押圧されるまでステップＳ４を繰り返し、決定ボタンが押圧された場合には、ステップＳ５に進む。なお、決定ボタンが押圧されない場合とは、ユーザが、操作部１６を介して、印刷指定情報の設定を行っている場合である。
【００２３】
ステップＳ５において、制御部１１は、印刷指定情報を作成する。すなわち、制御部１１は、決定ボタンが押圧された際に設定されている印刷指定情報を、設定対象の画像ごとに作成する。
ステップＳ６において、制御部１１は、印刷指定情報に、日付印刷が指定されているか否かを判定する。制御部１１は、日付印刷が指定されている場合には、ステップＳ７に進み、日付印刷が指定されていない場合には、ステップＳ９に進む。
【００２４】
ステップＳ７において、制御部１１は、設定対象の画像に日付が書き込まれているか否かを判定する。制御部１１は、撮影前に、画像自体への日付の書き込みが設定されて、設定対象の画像に日付がすでに書き込まれている場合には、ステップＳ８に進み、設定対象の画像に日付が書き込まれていない場合には、ステップＳ９に進む。
【００２５】
ステップＳ８において、制御部１１は、ステップＳ５で作成した印刷指定情報のうち、日付印刷の指定の部分を削除する。
ステップＳ９において、制御部１１は、設定対象の画像に対応付けて印刷指定情報を記録部１４に記録し、一連の処理を終了する。
なお設定対象の画像が複数である場合、制御部１１は、それぞれの画像についてステップＳ６からステップＳ９の処理を行う。その結果、ステップＳ９において、設定対象のそれぞれの画像について印刷指定情報が記録されることになる。
【００２６】
以上説明したように、本実施形態によれば、印刷指定情報の設定の際に、設定対象の画像に日付が書き込まれているか否かを判定し、日付が書き込まれている場合には、印刷指定情報に含まれる日付を削除する。そのため、画像自体への日付の書き込みと印刷指定情報による日付の印刷とが両方行われて、日付が２ヶ所に（または、重なって）印刷されてしまうという不都合を回避することができる。
【００２７】
また、本実施形態によれば、印刷指定情報の作成を複数の画像に対して行う場合、それぞれの画像について判定を行い、日付が書き込まれていると判定された画像について、その画像の印刷指定情報に含まれる日付を削除する。そのため、設定対象の画像に日付が書き込まれているものとそうでないものが混在していても、それぞれの画像について１つづつ日付が印刷されるよう指定を行うことができる。そのため、ユーザの操作を軽減し、簡単な操作で、適切な日付付加を行うことができる。
【００２８】
また、本実施形態によれば、スルー画に日付が書き込まれる。そのため、ユーザは構図決定の際に、日付部分と被写体とが重ならないように構図を決定することができる。また、本実施形態によれば、クイックビュー画像およびサムネイル画像にも日付が書き込まれる。そのため、印刷指定情報の設定の際に、設定対象の画像に日付が書き込まれているか否かを目視して判断できるので、設定間違いを回避することができる。
【００２９】
なお、本実施形態では、印刷指定情報の設定の際に、設定対象の画像に日付が書き込まれているか否かを判定し、日付が書き込まれている場合には、印刷指定情報に含まれる日付を削除する例を示したが、印刷指定情報を記録する際（図２ステップＳ９）に、日付を除く印刷指定情報のみを画像に対応付けて記録するようにしても良い。この場合にも、日付を削除する場合と同様に、画像自体への日付の書き込みと印刷指定情報による日付の印刷とが両方行われて、日付が２ヶ所に（または、重なって）印刷されてしまうという不都合を回避することができる。また、印刷指定情報の作成を複数の画像に対して行う場合にも、日付を削除する場合と同様に、ユーザの操作を軽減し、簡単な操作で、適切な日付付加を行うことができる。
【００３０】
また、本実施形態では、印刷指定情報として、日付印刷の指定を例に挙げて説明を行ったが、他の印刷指定情報であっても良い。例えば、印刷指定情報として、撮影情報（シャッタスピード、シーンモードの種類など）を印刷する指定を行うようにしても良い。
【００３１】
また、本実施形態では、印刷指定情報の一例としてＤＰＯＦを挙げて説明を行ったが、その他の印刷指定情報であっても良い。
また、本実施形態では、設定対象の画像に日付が書き込まれていて、さらにその画像の印刷指定情報に日付印刷が指定されている場合には、印刷指定情報の日付を削除する例を示したが、設定対象の画像に日付が書き込まれていて、印刷指定情報に日付印刷以外の情報の印刷が指定されている場合には、情報を削除するのではなく、印刷する位置を変更するようにしても良い。
【００３２】
また、本実施形態では、スルー画を元に、クイックビュー画像およびサムネイル画像を生成する例を示したが、これらの画像を、レリーズボタンが押圧されて撮像により得られた画像に基づいて生成するようにしても良い。
【００３３】
【発明の効果】
以上説明したように、本発明によれば、簡単な操作で、適切な印刷指定情報の設定を行うことができる電子カメラを提供することができる。
【図面の簡単な説明】
【図１】本実施形態の電子カメラの構成を示すブロック図である。
【図２】本実施形態の電子カメラにおける制御部の動作を示すフローチャートである。
【図３】本実施形態において、液晶モニタに表示される確認画面の例を示す図である。
【符号の説明】
１  電子カメラ
１０  撮像部
１１  制御部
１２  画像処理部
１３  表示処理部
１４  記録部
１５  外部インタフェース部
１６  操作部
１７  液晶モニタ
【図１】
2004266359.tif 000003
【図２】
2004266359.tif 000004
【図３】
2004266359.tif 000005